(57)【特許請求の範囲】
【請求項１】
通信ケーブル（１）をほぼ直角に曲げて敷設する際に該通信ケーブルを曲げる箇所に設置された円柱状の支持物（４）において左右の荷重が不均衡となる該通信ケーブルを吊架するのに使用される通信ケーブル吊架用腕金（１０；５０）であって、
筒状の腕金（１１；５１）と、
該腕金の先端部に第１のボルト（３１1；７１1）および第１のナット（３２1；７２1）を用いて取り付けられる、かつ、前記通信ケーブルから分離されたメッセンジャーワイヤ（２）の該通信ケーブルの荷重が小さい側である短径間側のメッセンジャーワイヤを固定するための第１の引留金具（１３1；５３1）と、
前記腕金の前記先端部および末端部の間に第２のボルト（３１2；７１2）および第２のナット（３１2；７２2）を用いて取り付けられる、かつ、前記通信ケーブルから分離されたメッセンジャーワイヤの前記通信ケーブルの荷重が大きい側である長径間側のメッセンジャーワイヤを固定するための第２の引留金具（１３2；５３2）と、
を具備し、
前記腕金の前記先端部の上面および下面に、前記第１のボルトを貫通させるための貫通孔が形成されており、
前記腕金の前記先端部および前記末端部の間の上面および下面に、前記第２のボルトを貫通させるための、かつ、前記通信ケーブルの前記短径間側および前記長径間側の荷重のバランスが取れる位置に前記第２の引留金具を固定するために該第２のボルトを前記腕金の長手方向に沿ってスライドさせて該第２の引留金具の該腕金への取付位置を前記腕金の前記先端部および前記末端部の間において一定の間隔で調整するための第１および第２の溝（１２1，１２2；５２1，５２2）が互いに対向して形成されている、
ことを特徴とする、通信ケーブル吊架用腕金。
【請求項２】
前記第１および第２の溝の両側面の平面形状が、半円または半楕円を連続的に並べた形状とされており、
前記第１および第２の溝の一方の側面の半円または半楕円と該第１および第２の溝の他方の側面の半円または半楕円とが、互いに対向するようにされており、
前記第１および第２の溝の両側面の最小間隔（Ｗ1）が、前記第２のボルトの径よりも大きくされている、
ことを特徴とする、請求項１記載の通信ケーブル吊架用腕金。
【請求項３】
前記第１および第２の溝の両側面の平面形状が、半円または半楕円を所定の間隔ごとに並べた形状とされており、
前記第１および第２の溝の一方の側面の半円または半楕円と該第１および第２の溝の他方の側面の半円または半楕円とが前記腕金の長手方向に交互となるようにされており、
前記第１および第２の溝の両側面の最小間隔（Ｗ2）が、前記第２のボルトの径よりも大きくされている、
ことを特徴とする、請求項１記載の通信ケーブル吊架用腕金。
【請求項４】
前記第１および第２の溝が、Ｓ字状に蛇行する形状を有し、
前記第１および第２の溝の幅（Ｗ3）が、前記第２のボルトの径よりも大きくされている、
ことを特徴とする、請求項１記載の通信ケーブル吊架用腕金。
【請求項５】
前記腕金（１１）が、横断面形状が矩形である筒状の形状を有し、
前記腕金の末端部の両側面に、自在アームバンド（２１）の両端に設けられたかつネジ溝が形成された２本の取付け棒をそれぞれ貫通させるための第１および第２の貫通孔が形成されており、
前記通信ケーブル吊架用腕金（１０）が、前記自在アームバンドの前記２本の取付け棒を前記第１および第２の貫通孔をそれぞれ貫通させたのちナットを用いて前記腕金を該自在アームバンドに向かって押し付けることにより、前記支持物に固定されている、
ことを特徴とする、請求項１乃至４いずれかに記載の通信ケーブル吊架用腕金。
【請求項６】
前記腕金（５１）が、横断面形状が矩形である筒状の本体部と、該本体部の末端側に設けられた支持部とを備える共架用突き出し金物であり、
前記通信ケーブル吊架用腕金（５０）が、ボルトおよびナットによって前記腕金の前記支持部が自在バンド（６２）の両端部に固定されることにより、前記支持物に固定されている、
ことを特徴とする、請求項１乃至４いずれかに記載の通信ケーブル吊架用腕金。
【請求項７】
請求項１乃至６いずれかに記載の通信ケーブル吊架用腕金（１０；５０）を用いて、通信ケーブル（１）をほぼ直角に曲げて敷設する際に該通信ケーブルを曲げる箇所に設置された円柱状の支持物（４）において左右の荷重が不均衡となる該通信ケーブルを吊架するための通信ケーブル吊架方法であって、
前記腕金（１１；５１）が前記支持物の周方向に動くように、前記通信ケーブル吊架用腕金を該支持物に取り付ける第１の工程と、
前記通信ケーブルからメッセンジャーワイヤ（２）を分離したのちに、該分離したメッセンジャーワイヤの該通信ケーブルの荷重が小さい側である短径間側のメッセンジャーワイヤを前記第１の引留金具（１３1；５３1）に固定する第２の工程と、
前記分離したメッセンジャーワイヤの前記通信ケーブルの荷重が大きい側である長径間側のメッセンジャーワイヤを前記第２の引留金具（１３2；５３2）に固定する第３の工程と、
前記第１のボルト（３１1；７１1）および前記第１のナット（３２1；７２1）を用いて前記第１の引留金具を前記腕金の前記先端部に固定する第４の工程と、
前記第２のボルトを前記腕金（１１；５１）の長手方向に沿ってスライドさせて、前記通信ケーブルの前記短径間側および前記長径間側の荷重のバランスが取れる位置を探し、該通信ケーブルの該短径間側および前記長径間側の荷重のバランスが取れる位置を探し当てると、前記第２のボルト（３１2；７１2）および前記第２のナット（３１2；７２2）を用いて該第２の引留金具を前記腕金の前記先端部と前記末端部との間の前記探し当てた位置に固定する第５の工程と、
前記腕金が前記支持物の周方向に動かないように、前記通信ケーブル吊架用腕金を前記支持物に固定する第６の工程と、
を具備することを特徴とする、通信ケーブル吊架方法。
【請求項８】
前記第１の工程において、前記支持物の前記通信ケーブル吊架用腕金（１０）を取り付ける位置の下に、支持用自在バンド（８１）を固定し、前記自在アームバンド（２１）が前記支持用自在バンドによって支持されてずれ落ちないように、該自在アームバンドを該支持用自在バンドの上にかつ緩めに取り付け、
前記第６の工程の後に、前記支持用自在バンドを前記支持物から取り外す、
ことを特徴とする、請求項７記載の通信ケーブル吊架方法。
【請求項９】
前記第１の工程において、前記支持物の前記通信ケーブル吊架用腕金（５０）を取り付ける位置の下に、支持用自在バンド（９１）を固定し、前記自在バンド（６２）が前記支持用自在バンドによって支持されてずれ落ちないように、該自在バンドを該支持用自在バンドの上にかつ緩めに取り付け、
前記第５の工程と前記第６の工程との間において、前記支持用自在バンドを前記支持物から取り外す、
ことを特徴とする、請求項７記載の通信ケーブル吊架方法。
【発明の詳細な説明】
【技術分野】
【０００１】
本発明は、通信ケーブル吊架用腕金および通信ケーブル吊架方法に関し、特に、電柱などの支持物において左右の荷重が不均衡となる通信ケーブルを吊架するのに好適な通信ケーブル吊架用腕金および通信ケーブル吊架方法に関する。
【背景技術】
【０００２】
通信ケーブルの１種である光ケーブルを敷設する際に角柱（光ケーブルをほぼ直角に曲げて敷設する際に光ケーブルを曲げる箇所に設置された電柱）においては、角柱の内側（曲げられた光ケーブルがなす角度の小さい側）に光ケーブルを架線するときには、光ケーブルを角柱に直付けするか、たとえば下記の特許文献１で用いられているような腕金を利用している。一方、角柱の外側（曲げられた光ケーブルがなす角度の大きい側）に光ケーブルを架線するときには、光ケーブルを角柱に直付けしている。
【０００３】
また、図５（ａ）に示すように、光ケーブル１の下に建物などの第１および第２の障害物（以下、「第１および第２の線下障害物５1，５2」と称する。）がある場合には、第１乃至第３の電柱４1〜４3（第２の電柱４2が角柱である。）に第１乃至第３の腕金３1〜３3をそれぞれ取り付けることにより、光ケーブル１が第１および第２の線下障害物５1，５2に接触しないようにしている。なお、腕金の代わりに共架用突き出し金物を使用することもできるが、本明細書では腕金および共架用突き出し金物を総称して「腕金」と称する。
【特許文献１】特開２００２−１０７５９２号公報
【発明の開示】
【発明が解決しようとする課題】
【０００４】
しかしながら、このようにして光ケーブル１が第１および第２の線下障害物５1，５2に接触しないようにしても、第２の電柱４2（角柱）における左右の荷重が不均衡であると、以下に示すような問題が生じていた。
たとえば第２および第３の電柱４2，４3の間にかかる荷重が第１および第２の電柱４1，４2間にかかる荷重よりも大きいと、時間が経つにつれて第２の腕金３2を第２の電柱４2に固定している自在バンドが緩んできて、図５（ａ）に破線で示すように、第２の腕金３2が第３の電柱４3側に振れて、第１および第２の電柱４1，４2間の光ケーブル１が第１の線下障害物５1に接触してしまう。
【０００５】
このような問題を解決するために、図５（ｂ）に示すように、第１および第２の電柱４1，４2間の光ケーブル１の延長線上にある第４の電柱４4と第２および第３の電柱４2，４3間の光ケーブル１の延長線上にある第５の電柱４5とに第１および第２のメッセンジャーワイヤ２1，２2をそれぞれ架線して、第２および第３の電柱４2，４3間にかかる荷重と第１および第２の電柱４1，４2間にかかる荷重とのバランスを保つこともなされている。
しかし、このような解決方法においても、第４および第５の電柱４4，４5は必ずしも存在するとは限らない上、第１および第２のメッセンジャーワイヤ２1，２2を架線する際に第１および第２の線下障害物５1，５2などを損傷させないように配慮する必要があるなど施工が容易でないという問題があった。
【０００６】
本発明の目的は、左右の荷重が不均衡な角柱においても腕金の振れを容易に防止することができる通信ケーブル吊架用腕金および通信ケーブル吊架方法を提供することにある。
【課題を解決するための手段】
【０００７】
本発明の通信ケーブル吊架用腕金は、通信ケーブル（１）をほぼ直角に曲げて敷設する際に該通信ケーブルを曲げる箇所に設置された円柱状の支持物（４）において左右の荷重が不均衡となる該通信ケーブルを吊架するのに使用される通信ケーブル吊架用腕金（１０；５０）であって、筒状の腕金（１１；５１）と、該腕金の先端部に第１のボルト（３１1；７１1）および第１のナット（３２1；７２1）を用いて取り付けられる、かつ、前記通信ケーブルから分離されたメッセンジャーワイヤ（２）の該通信ケーブルの荷重が小さい側である短径間側のメッセンジャーワイヤを固定するための第１の引留金具（１３1；５３1）と、前記腕金の前記先端部および末端部の間に第２のボルト（３１2；７１2）および第２のナット（３１2；７２2）を用いて取り付けられる、かつ、前記通信ケーブルから分離されたメッセンジャーワイヤの前記通信ケーブルの荷重が大きい側である長径間側のメッセンジャーワイヤを固定するための第２の引留金具（１３2；５３2）とを具備し、前記腕金の前記先端部の上面および下面に、前記第１のボルトを貫通させるための貫通孔が形成されており、前記腕金の前記先端部および前記末端部の間の上面および下面に、前記第２のボルトを貫通させるための、かつ、前記通信ケーブルの前記短径間側および前記長径間側の荷重のバランスが取れる位置に前記第２の引留金具を固定するために該第２のボルトを前記腕金の長手方向に沿ってスライドさせて該第２の引留金具の該腕金への取付位置を前記腕金の前記先端部および前記末端部の間において一定の間隔で調整するための第１および第２の溝（１２1，１２2；５２1，５２2）が互いに対向して形成されていることを特徴とする。
ここで、前記第１および第２の溝の両側面の平面形状が、半円または半楕円を連続的に並べた形状とされており、前記第１および第２の溝の一方の側面の半円または半楕円と該第１および第２の溝の他方の側面の半円または半楕円とが、互いに対向するようにされており、前記第１および第２の溝の両側面の最小間隔（Ｗ1）が、前記第２のボルトの径よりも大きくされていてもよい。
前記第１および第２の溝の両側面の平面形状が、半円または半楕円を所定の間隔ごとに並べた形状とされており、前記第１および第２の溝の一方の側面の半円または半楕円と該第１および第２の溝の他方の側面の半円または半楕円とが前記腕金の長手方向に交互となるようにされており、前記第１および第２の溝の両側面の最小間隔（Ｗ2）が、前記第２のボルトの径よりも大きくされていてもよい。
前記第１および第２の溝が、Ｓ字状に蛇行する形状を有し、前記第１および第２の溝の幅（Ｗ3）が、前記第２のボルトの径よりも大きくされていてもよい。
前記腕金（１１）が、横断面形状が矩形である筒状の形状を有し、前記腕金の末端部の両側面に、自在アームバンド（２１）の両端に設けられたかつネジ溝が形成された２本の取付け棒をそれぞれ貫通させるための第１および第２の貫通孔が形成されており、前記通信ケーブル吊架用腕金（１０）が、前記自在アームバンドの前記２本の取付け棒を前記第１および第２の貫通孔をそれぞれ貫通させたのちナットを用いて前記腕金を該自在アームバンドに向かって押し付けることにより、前記支持物に固定されていてもよい。
前記腕金（５１）が、横断面形状が矩形である筒状の本体部と、該本体部の末端側に設けられた支持部とを備える共架用突き出し金物であり、前記通信ケーブル吊架用腕金（５０）が、ボルトおよびナットによって前記腕金の前記支持部が自在バンド（６２）の両端部に固定されることにより、前記支持物に固定されていてもよい。
【０００８】
本発明の通信ケーブル吊架方法は、本発明の通信ケーブル吊架用腕金（１０；５０）を用いて、通信ケーブル（１）をほぼ直角に曲げて敷設する際に該通信ケーブルを曲げる箇所に設置された円柱状の支持物（４）において左右の荷重が不均衡となる該通信ケーブルを吊架するための通信ケーブル吊架方法であって、前記腕金（１１；５１）が前記支持物の周方向に動くように、前記通信ケーブル吊架用腕金を該支持物に取り付ける第１の工程と、前記通信ケーブルからメッセンジャーワイヤ（２）を分離したのちに、該分離したメッセンジャーワイヤの該通信ケーブルの荷重が小さい側である短径間側のメッセンジャーワイヤを前記第１の引留金具（１３1；５３1）に固定する第２の工程と、前記分離したメッセンジャーワイヤの前記通信ケーブルの荷重が大きい側である長径間側のメッセンジャーワイヤを前記第２の引留金具（１３2；５３2）に固定する第３の工程と、前記第１のボルト（３１1；７１1）および前記第１のナット（３２1；７２1）を用いて前記第１の引留金具を前記腕金の前記先端部に固定する第４の工程と、前記第２のボルトを前記腕金（１１；５１）の長手方向に沿ってスライドさせて、前記通信ケーブルの前記短径間側および前記長径間側の荷重のバランスが取れる位置を探し、該通信ケーブルの該短径間側および前記長径間側の荷重のバランスが取れる位置を探し当てると、前記第２のボルト（３１2；７１2）および前記第２のナット（３１2；７２2）を用いて該第２の引留金具を前記腕金の前記先端部と前記末端部との間の前記探し当てた位置に固定する第５の工程と、前記腕金が前記支持物の周方向に動かないように、前記通信ケーブル吊架用腕金を前記支持物に固定する第６の工程とを具備することを特徴とする。
ここで、前記第１の工程において、前記支持物の前記通信ケーブル吊架用腕金（１０）を取り付ける位置の下に、支持用自在バンド（８１）を固定し、前記自在アームバンド（２１）が前記支持用自在バンドによって支持されてずれ落ちないように、該自在アームバンドを該支持用自在バンドの上にかつ緩めに取り付け、前記第６の工程の後に、前記支持用自在バンドを前記支持物から取り外してもよい。
前記第１の工程において、前記支持物の前記通信ケーブル吊架用腕金（５０）を取り付ける位置の下に、支持用自在バンド（９１）を固定し、前記自在バンド（６２）が前記支持用自在バンドによって支持されてずれ落ちないように、該自在バンドを該支持用自在バンドの上にかつ緩めに取り付け、前記第５の工程と前記第６の工程との間において、前記支持用自在バンドを前記支持物から取り外してもよい。
【発明の効果】
【０００９】
本発明の通信ケーブル吊架用腕金および通信ケーブル吊架方法は、角柱における左右の荷重が均等になるように調整して通信ケーブルを通信ケーブル吊架用腕金に留めることができるので、左右の荷重が不均衡な角柱においても腕金の振れを容易に防止することができるという効果を奏する。
【発明を実施するための最良の形態】
【００１０】
上記の目的を、通信ケーブルから分離したメッセンジャーワイヤの他端を固定するための第２の引留金具の腕金への取付位置を一定の間隔で調整するための第１および第２の溝を腕金に互いに対向して形成することにより実現した。
【実施例１】
【００１１】
以下、本発明の通信ケーブル吊架用腕金および通信ケーブル吊架方法の実施例について、図面を参照して説明する。
本発明の第１の実施例による通信ケーブル吊架用腕金１０は、図１に示すように、腕金１１と、第１および第２の引留金具１３1，１３2とを具備する。
【００１２】
腕金１１は、横断面形状が矩形である筒状の形状を有する。腕金１１の末端部の両側面には、自在アームバンド２１の両端に設けられたかつネジ溝が形成された２本の取付け棒をそれぞれ貫通させるための第１および第２の貫通孔（不図示）が形成されており、自在アームバンド２１の２本の取付け棒を腕金１１の第１および第２の貫通孔にそれぞれ貫通させたのちにナットを用いて腕金１１を自在アームバンド２１に向かって押し付けることにより、通信ケーブル吊架用腕金１０を電柱４（支持物）に固定することができるようにされている。
【００１３】
腕金１１の先端部の上面および下面には、第１の引留金具１３1を腕金１１に取り付けるための第１のボルト３１1を貫通させるための貫通孔が形成されている。
また、腕金１１の先端部および末端部の間の上面および下面には、第２の引留金具１３2を腕金１１に取り付けるための第２のボルト３１2を貫通させるための第１および第２の溝１２1，１２2（第２の溝１２2は不図示）が形成されている。なお、後述するように、第１および第２の溝１２1，１２2の形状は、第２のボルト３１2をスライドさせて第２の引留金具１３2の腕金１１への取付位置を一定の間隔で調整することができるようにされている。
【００１４】
第１の引留金具１３1は、末端部に第１のボルト３１1を貫通させるための貫通孔が形成された一対の第１の支持部と、一対の第１の支持部の先端部の間にシンブルを介して取り付けられた第１の巻付部１４1とを備える。同様に、第２の引留金具１３2は、末端部に第２のボルト３１2を貫通させるための貫通孔が形成された一対の第２の支持部と、一対の第２の支持部の先端部の間にシンブルを介して取り付けられた第２の巻付部１４2とを備える。
これにより、第１の引留金具１３1の一対の第１の支持部を腕金１１の先端部の上面および下面に載せ、第１のボルト３１1を第１の引留金具１３1の一対の第１の支持部に形成された貫通孔と腕金１１の先端部に形成された貫通孔とを貫通させたのち、第１のボルト３１1と第１のナット３２1とで第１の引留金具１３1の一対の第１の支持部および腕金１１を締め付けることにより、第１の引留金具１３1を腕金１１に取り付けることができる。
また、第２の引留金具１３2の一対の第２の支持部を腕金１１の第１および第２の溝１２1，１２2が形成された部分の上面および下面に載せ、第２のボルト３１2を第２の引留金具１３2の一対の第２の支持部に形成された貫通孔と腕金１１の第１および第２の溝１２1，１２2とを貫通させ、第２のボルト３１2を腕金１１の第１および第２の溝１２1，１２2に沿って所望の位置まで移動したのち、第２のボルト３１2と第２のナット３２2とで第２の引留金具１３2の一対の第２の支持部および腕金１１を締め付けることにより、取付位置を調整して第２の引留金具１３2を腕金１１に固定することができる。
【００１５】
通信ケーブルの１種である光ケーブル１の通信ケーブル吊架用腕金１０への取付けは、以下のようにして行われる。
光ケーブル１からメッセンジャーワイヤ２を分離し、分離したメッセンジャーワイヤ２の一方を第１の引留金具１３1の第１の巻付部１４1に巻付けグリップなどを用いて固定するとともに、分離したメッセンジャーワイヤ２の他方を第２の引留金具１３2の第２の巻付部１４2に巻付けグリップなどを用いて固定する。
【００１６】
第１および第２の溝１２1，１２2の形状は、第２のボルト３１2をスライドさせて第２の引留金具１３2の腕金１１への取付位置を一定の間隔で調整することができ、第２のボルト３１2を緩めても腕金１１が振れる危険が少なく、かつ、経年により第２のボルト３１2の緩みが生じても第２の引留金具１３2の取付位置が移動しないようにするために、以下のようにされている。
【００１７】
第１および第２の溝１２1，１２2の両側面の平面形状は、図２（ａ）に第１の溝１２1について示すように、第２のボルト３１2が嵌るような半円または半楕円を連続的に並べた形状とされている。また、第１および第２の溝１２1，１２2の一方の側面の半円または半楕円と他方の側面の半円または半楕円とは、互いに対向するようにされている。さらに、第１および第２の溝１２1，１２2の両側面の最小間隔Ｗ1は、第２のボルト３１2を腕金１１の長手方向に沿ってスライドすることができるようにするために、第２のボルト３１2の径よりも大きく（たとえば、１８ｍｍ±５ｍｍ）されている。
【００１８】
なお、このように構成された第１および第２の溝１２1，１２2の代わりに、図２（ｂ）に第１の溝１２ａ1について示すように、両側面の平面形状が第２のボルト３１2が嵌るような半円または半楕円を所定の間隔ごとに並べた形状とされ、かつ、一方の側面の半円または半楕円と他方の側面の半円または半楕円とが腕金１１の長手方向に交互となるようにされた第１および第２の溝１２ａ1，１２ａ2を用いてもよい。このような第１および第２の溝１２ａ1，１２ａ2においても、第１および第２の溝１２1，１２2の両側面の最小間隔Ｗ2は、第２のボルト３１2を第１および第２の溝１２1，１２2に沿ってスライドすることができるようにするために、第２のボルト３１2の径よりも大きく（たとえば、１８ｍｍ±５ｍｍ）されている。
このように構成された第１および第２の溝１２ａ1，１２ａ2では、図２（ａ）に示した第１および第２の溝１２1，１２2に比べて第２のボルト３１2をよりスムーズにスライドさせることができる。
【００１９】
また、第１および第２の溝１２1，１２2の代わりに、図２（ｃ）に第１の溝１２ｂ1について示すように、Ｓ字状に蛇行する形状を有する第１および第２の溝１２ｂ1，１２ｂ2を用いてもよい。このような第１および第２の溝１２ｂ1，１２ｂ2においても、第１および第２の溝１２ｂ1，１２ｂ2の幅Ｗ3は、第２のボルト３１2を第１および第２の溝１２1，１２2に沿ってスライドすることができるようにするために、第２のボルト３１2の径よりも大きく（たとえば、１８ｍｍ±５ｍｍ）されている。
このように構成された第１および第２の溝１２ｂ1，１２ｂ2では、図２（ａ）に示した第１および第２の溝１２1，１２2や図２（ｂ）に示した第１および第２の溝１２ａ1，１２ａ2に比べて第２のボルト３１2をよりスムーズにスライドさせることができる。
【００２０】
次に、本実施例による通信ケーブル吊架用腕金１０を用いて光ケーブル１を電柱４に吊架する方法（本発明の第１の実施例による通信ケーブル吊架方法）について、図１および図４（ａ）を参照して説明する。
作業者は、図４（ａ）に示すように、電柱４の通信ケーブル吊架用腕金１０を取り付ける位置の下に、支持用自在バンド８１を固定する。
その後、作業者は、自在アームバンド２１が支持用自在バンド８１によって支持されてずれ落ちないように、自在アームバンド２１を支持用自在バンド８１の上に取り付ける。このとき、作業者は、腕金１１が電柱４の周方向に動くように自在アームバンド２１を電柱４に緩めに取り付ける。
【００２１】
その後、作業者は、第１の引留金具１３1が腕金１１に固定されていることを確認したのち、光ケーブル１からメッセンジャーワイヤ２を分離し、光ケーブル１の荷重が小さい側（以下、「短径間側」と称する。）のメッセンジャーワイヤ２（図１の図示左側）を第１の引留金具１３1の第１の巻付部１４1に固定する。
その後、作業者は、第２のボルト３１2が腕金１１の長手方向に沿ってスライドさせることができることを確認したのち、光ケーブル１の荷重が大きい側（以下、「長径間側」と称する。）のメッセンジャーワイヤ２（図１の図示右側）を第２の引留金具１３2の第２の巻付部１４2に固定する。
【００２２】
その後、作業者は、第２のボルト３１2を腕金１１の長手方向に沿ってスライドさせて、光ケーブル１の短径間側および長径間側の荷重のバランスが取れる位置（すなわち、腕金１１が電柱４の周方向に回らなくなる位置）を探す。
光ケーブル１の短径間側および長径間側の荷重のバランスが取れる位置を探し当てると、作業者は、第２のボルト３１2と第２のナット３２2とによって第２の引留金具１３2を腕金１１に固定する。
【００２３】
その後、作業者は、腕金１１が電柱４の周方向に動かないように自在アームバンド２１を電柱４に固定したのち、支持用自在バンド８１を電柱４から取り外す。
【実施例２】
【００２４】
次に、本発明の第２の実施例による通信ケーブル吊架用腕金について、図３を参照して説明する。
本実施例による通信ケーブル吊架用腕金５０は、図３に示すように、腕金５１（共架用突き出し金物）と、第１および第２の引留金具５３1，５３2とを具備する。
【００２５】
腕金５１は、横断面形状が矩形である筒状の本体部と、本体部の末端側に設けられた支持部とを備える。腕金５１の支持部を自在バンド６２の両端部にボルトおよびナットによって固定することにより、通信ケーブル吊架用腕金５０を電柱４（支持物）に固定することができるようにされている。
【００２６】
腕金５１の先端部には、第１の引留金具５３1を腕金５１に取り付けるための第１のボルト７１1を貫通させるための貫通孔が形成されている。
また、腕金５１の上面および下面には、第２の引留金具５３2を腕金５１に取り付けるための第２のボルト７１2を貫通させるための第１および第２の溝５２1，５２2（第２の溝５２2は不図示）が互いに対向するようにそれぞれ形成されている。なお、第１および第２の溝５２1，５２2の形状は、図２（ａ）に示した形状とされているが、図２（ｂ），（ｃ）に示した形状であってもよい。
【００２７】
，
第１および第２の引留金具５３1，５３2は、図１に示した第１および第２の引留金具１３1，１３2と同様に構成されている。
【００２８】
次に、本実施例による通信ケーブル吊架用腕金５０を用いて光ケーブル１を電柱４に吊架する方法（本発明の第２の実施例による通信ケーブル吊架方法）について、図３および図４（ｂ）を参照して説明する。
作業者は、図４（ｂ）に示すように、電柱４の通信ケーブル吊架用腕金５０を取り付ける位置の下に、支持用自在バンド９１を取り付ける。
その後、作業者は、自在バンド６２が支持用自在バンド９１によって支持されてずれ落ちないように、自在バンド６２を支持用自在バンド９１の上に取り付ける。このとき、作業者は、腕金５１が電柱４の周方向に動くように自在バンド６２を電柱４に緩めに取り付ける。
【００２９】
その後、作業者は、第１の引留金具５３1が腕金５１に固定されていることを確認したのち、光ケーブル１からメッセンジャーワイヤ２を分離し、光ケーブル１の短径間側のメッセンジャーワイヤ２（図３の図示左側）を第１の引留金具５３1に固定する。
その後、作業者は、第２のボルト７１2を腕金５１の長手方向に沿ってスライドさせることができることを確認したのち、光ケーブル１の長径間側のメッセンジャーワイヤ２（図３の図示右側）を第２の引留金具５３2に固定する。
【００３０】
その後、作業者は、第２のボルト７１2を腕金５１の長手方向に沿ってスライドさせて、光ケーブル１の短径間側および長径間側の荷重のバランスが取れる位置（すなわち、腕金５１が電柱４の周方向に回らなくなる位置）を探す。
光ケーブル１の短径間側および長径間側の荷重のバランスが取れる位置を探し当てると、作業者は、第２のボルト７１2と第２のナット７２2とによって第２の引留金具５３2を腕金５１に固定する。
【００３１】
その後、作業者は、支持用自在バンド９１を電柱４から取り外したのち、自在バンド６１を電柱４に固定する。
【００３２】
以上の説明においては、光ケーブル１を吊架する場合について説明したが、その他の通信ケーブル（メタルケーブルなど）を吊架する場合にも本発明の通信ケーブル吊架用腕金および通信ケーブル吊架方法を使用することができる。
【図面の簡単な説明】
【００３３】
【図１】本発明の第１の実施例による通信ケーブル吊架用腕金１０の構成を示す図である。
【図２】図１に示した腕金１１に形成された第１および第２の溝１２1，１２2の形状を説明するための図であり、（ａ）は図１に示した第１の溝１２1の形状を示す図であり、（ｂ）は第１の溝１２1の代わりに用いることができる第１の溝１２ａ1の形状を図であり、（ｃ）は第１の溝１２1の代わりに用いることができる第１の溝１２ｂ1の形状を図である。
【図３】本発明の第２の実施例による通信ケーブル吊架用腕金５０の構成を示す図である。
【図４】本発明による通信ケーブル吊架方法の実施例を説明するための図であり、（ａ）は図１に示した通信ケーブル吊架用腕金１０を用いた第１の実施例による通信ケーブル吊架方法を説明するための図であり、（ｂ）は図３に示した通信ケーブル吊架用腕金５０を用いた第２の実施例による通信ケーブル吊架方法を説明するための図である。
【図５】従来技術およびその問題点を説明するための図である。
【符号の説明】
【００３４】
１  光ケーブル
２，２1，２2  メッセンジャーワイヤ
３1〜３3，１１，５１  腕金
４，４1〜４5  電柱
５1，５2  線下障害物
１０，５０  通信ケーブル吊架用腕金
１２1，１２2，１２ａ1，１２ａ2，１２ｂ1，１２ｂ2，５２1，５２2  溝
１３1，１３2，５３1，５３2  引留金具
１４1，１４2  巻付部
２１  自在アームバンド
３１1，３１2，７１1，７１2  ボルト
３２1，３２2，７２1，７２2  ナット
６２  自在バンド
８１，９１  支持用自在バンド
W1，W2，W3  最小間隔
【図１】
0004767077.tif 000002
【図２】
0004767077.tif 000003
【図３】
0004767077.tif 000004
【図４】
0004767077.tif 000005
【図５】
0004767077.tif 000006